【手続補正書】
【提出日】平成23年3月2日(2011.3.2)
【手続補正１】
【補正対象書類名】特許請求の範囲
【補正対象項目名】全文
【補正方法】変更
【補正の内容】
【特許請求の範囲】
【請求項１】
多数の電力領域を持つ集積回路を保護するための静電放電（ＥＳＤ）保護回路であって、
第１の電圧供給回線と第１の接地電位との間に結合された第１の金属酸化膜半導体（ＭＯＳ）トランジスタと、
第２の電圧供給回線と、前記第１の接地電位および第２の接地電位のうちの１つとの間に結合された第２のＭＯＳトランジスタと、
第１の電圧供給回線と第１の接地電位との間に結合された第３のＭＯＳトランジスタであって、ドレインが第１のＭＯＳトランジスタのドレインと結合される第３のＭＯＳトランジスタと、
第２の電圧供給回線と、前記第１の接地電位および第２の接地電位のうちの１つとの間に結合された第４のＭＯＳトランジスタであって、ゲートが第２のＭＯＳトランジスタのゲートとつなげられる第４のＭＯＳトランジスタと、
前記第１の電圧供給回線と前記第１の接地電位との間に結合された第１のＥＳＤクランプであって、前記第１のＭＯＳトランジスタのソースとドレインとの間につなげられる前記第１のＥＳＤクランプと、
前記第２の電圧供給と、前記第１および第２の接地電位のうちの１つとの間に結合された第２のＥＳＤクランプであって、前記第２のＭＯＳトランジスタのソースとゲートとの間につなげられる前記第２のＥＳＤクランプと、
前記第１の電圧供給回線と前記第１の接地電位との間に結合された第３のＥＳＤクランプであって、前記第３のＭＯＳトランジスタのソースとドレインとの間につなげられる前記第３のＥＳＤクランプと、
前記第２の電圧供給と前記第１の接地電位および第２の接地電位のうちの１つとの間に結合された第４のＥＳＤクランプであって、前記第４のＭＯＳトランジスタのソースとゲートとの間につなげられる前記第４のＥＳＤクランプと、
前記第１のＭＯＳトランジスタと前記第２のＭＯＳトランジスタとの間に結合されたインピーダンス回路であって、前記第１のＥＳＤクランプは電流を伝導し、かつ、ＥＳＤ事象に応じて前記インピーダンス回路内に前記電流の少なくとも一部を供給するインピーダンス回路とを含むＥＳＤ保護回路。
【請求項２】
前記インピーダンス回路、前記第１のＭＯＳトランジスタ、前記第２のＭＯＳトランジスタ、前記第３のＭＯＳトランジスタ、および、前記第４のＭＯＳトランジスタの組み合わせは、前記第１の電圧供給回線と前記第２の電圧供給回線の間にインターフェースを形成する請求項１に記載のＥＳＤ保護回路。
【請求項３】
前記インピーダンス回路は、抵抗器、コンデンサ、インダクタ、および、ダイオードのうちの少なくとも１つを含む請求項１に記載のＥＳＤ保護回路。
【請求項４】
前記インピーダンス回路は少なくとも１つの能動デバイスを含む請求項１に記載のＥＳＤ保護回路。
【請求項５】
前記インピーダンス回路は、制御可能なインピーダンス値を有する可変インピーダンス要素を含む請求項１に記載のＥＳＤ保護回路。
【請求項６】
前記少なくとも１つの第１のＥＳＤクランプはＭＯＳトランジスタを含む請求項１に記載のＥＳＤ保護回路。
【請求項７】
前記第１のＥＳＤクランプはダイオードを含む請求項１に記載のＥＳＤ保護回路。
【請求項８】
前記インピーダンス回路は前記第１のＭＯＳトランジスタのドレインと前記第２のＭＯＳトランジスタのゲートとの間につなげられる請求項１に記載のＥＳＤ保護回路。
【請求項９】
前記電流の前記少なくとも一部は、前記第１および第２のＭＯＳトランジスタのうちの１つの破壊を防止するために、前記インピーダンス回路にかかる電圧を上昇させる請求項１に記載のＥＳＤ保護回路。
【請求項１０】
前記第１の接地電位と前記第２の接地電位との間に結合された第２のインピーダンス回路をさらに含む請求項１に記載のＥＳＤ保護回路。
【請求項１１】
前記第２のＥＳＤクランプは、間に抵抗器が配置された２つのＥＳＤクランプを含む請求項１に記載のＥＳＤ保護回路。
【請求項１２】
多数の電力領域を持つ集積回路を保護するための静電放電（ＥＳＤ）保護回路であって、
第１の電圧供給回線と第１の接地電位との間に結合された少なくとも１つの第１のＭＯＳトランジスタと、
第２の電圧供給回線と、前記第１の接地電位および第２の接地電位のうちの１つとの間に結合された少なくとも１つの第２のＭＯＳトランジスタと、
前記第１の電圧供給回線と前記第１の接地電位との間に結合された少なくとも１つの第１のＥＳＤクランプであって、前記少なくとも第１のＥＳＤクランプは前記少なくとも第１のＭＯＳトランジスタと平行に定置されている第１のＥＳＤクランプと、
前記少なくとも第１のＭＯＳトランジスタと前記少なくとも第２のＭＯＳトランジスタとの間に配置された少なくとも１つのインピーダンス回路と、
前記第２のＭＯＳトランジスタのドレインと前記第２のＭＯＳトランジスタのゲートとの間に定置された少なくとも１つの第２のＥＳＤクランプであって、前記少なくとも第１および第２のＥＳＤクランプは電流を伝導し、かつ、ＥＳＤ事象に応じて前記インピーダンス回路内に前記電流の少なくとも一部を供給する第２のＥＳＤクランプとを含むＥＳＤ保護回路。
【請求項１３】
前記インピーダンス回路、前記少なくとも第１のＭＯＳトランジスタ、および、前記少なくとも第２のＭＯＳトランジスタは、前記第１と第２の電圧供給回線の間にインターフェースを形成する請求項１２に記載のＥＳＤ保護回路。
【請求項１４】
前記第１と前記第２の接地電位の間に配置された第２のインピーダンス回路をさらに含む請求項１２に記載のＥＳＤ保護回路。
【請求項１５】
多数の電力領域を持つ集積回路を保護するための静電放電（ＥＳＤ）保護回路であって、
第１の保護回路であって、
第１の電圧供給回線と第１の接地電位との間に結合された少なくとも１つの第１のＭＯＳトランジスタと、
第２の電圧供給回線と、前記第１および第２の接地電位のうちの少なくとも１つとの間に結合された少なくとも１つの第２のＭＯＳトランジスタと、
前記第１の電圧供給回線と前記第１の接地電位との間に結合された少なくとも１つの第１のＥＳＤクランプであって、前記少なくとも第１のＥＳＤクランプは前記少なくとも第１のＭＯＳトランジスタと平行に定置されている第１のＥＳＤクランプと、
前記第２の電圧供給回線と、前記第１および前記第２の接地電位のうちの前記少なくとも１つとの間に結合された少なくとも１つの第２のＥＳＤクランプであって、前記少なくとも第２のＭＯＳトランジスタと平行に定置されている第２のＥＳＤクランプと、
前記少なくとも第１のＭＯＳトランジスタと前記少なくとも第２のＭＯＳトランジスタとの間に配置された少なくとも１つの第１のインピーダンス回路であって、前記少なくとも第１のＥＳＤクランプは電流を伝導し、かつ、ＥＳＤ事象に応じて前記インピーダンス回路内に前記電流の少なくとも一部を供給する第１のインピーダンス回路とを含む第１の保護回路と、
第２の保護回路であって、
第３の電圧供給回線と第３の接地電位との間に結合された少なくとも１つの第３のＭＯＳトランジスタと、
第４の電圧供給回線と、前記第３および第４の接地電位のうちの前記少なくとも１つとの間に結合された少なくとも１つの第４のＭＯＳトランジスタと、
前記第３の電圧供給回線と前記第３の接地電位との間に結合された少なくとも１つの第３のＥＳＤクランプであって、前記少なくとも第３のＥＳＤクランプは前記少なくとも第３のＭＯＳトランジスタと平行に定置されている第３のＥＳＤクランプと、
前記第４の電圧供給回線と、前記第３および前記第４の接地電位のうちの前記少なくとも１つとの間に結合された少なくとも１つの第４のＥＳＤクランプであって、前記少なくとも第４のＭＯＳトランジスタと平行に定置されている第４のＥＳＤクランプと、
前記少なくとも第３のＭＯＳトランジスタと前記少なくとも第４のＭＯＳトランジスタとの間に配置された少なくとも１つの第２のインピーダンス回路であって、前記少なくとも第３のＥＳＤクランプは電流を伝導し、かつ、ＥＳＤ事象に応じて前記インピーダンス回路内に前記電流の少なくとも一部を供給する第２のインピーダンス回路とを含む第２の保護回路と、
前記第１の保護回路および前記第２の保護回路に結合されたＥＳＤ検出器とを含むＥＳＤ保護回路。
【請求項１６】
前記ＥＳＤ検出器は過渡状態検出器である請求項１５に記載のＥＳＤ保護回路。
【請求項１７】
前記ＥＳＤ検出器は、前記第１の保護回路の前記第１のＥＳＤクランプおよび前記第２の保護回路の前記第２のＥＳＤクランプに結合されている請求項１５に記載のＥＳＤ保護回路。
【請求項１８】
前記ＥＳＤ検出器は、前記第１の保護回路の前記第３のＥＳＤクランプおよび前記第２の保護回路の前記第５のＥＳＤクランプに結合されている請求項１５に記載のＥＳＤ保護回路。
【請求項１９】
多数の電力領域を持つ集積回路を保護するための静電放電（ＥＳＤ）保護回路であって、
第１の保護回路であって、
第１の電圧供給回線と第１の接地電位との間に結合された少なくとも１つの第１のＭＯＳトランジスタと、
第２の電圧供給回線と、前記第１および第２の接地電位のうちの少なくとも１つとの間に結合された少なくとも１つの第２のＭＯＳトランジスタと、
前記少なくとも第１のＭＯＳトランジスタと前記少なくとも第２のＭＯＳトランジスタとの間に配置された少なくとも１つの第１のインピーダンス回路と、
前記第２の電圧供給回線と前記第１および前記第２の接地電位のうちの前記少なくとも１つとの間に結合された少なくとも１つの第１のＥＳＤクランプであって、前記少なくとも第１のＥＳＤクランプは前記少なくとも第２のＭＯＳトランジスタと平行に定置され、かつ、ＥＳＤ事象に応じて電流を伝導する第１のＥＳＤクランプとを含む第１の保護回路と、
第２の保護回路であって、
第３の電圧供給回線と第３の接地電位との間に結合された少なくとも１つの第３のＭＯＳトランジスタと、
第４の電圧供給回線と、前記第３および第４の接地電位のうちの前記少なくとも１つとの間に結合された少なくとも１つの第４のＭＯＳトランジスタと、
前記少なくとも第３のＭＯＳトランジスタと前記少なくとも第４のＭＯＳトランジスタとの間に配置された少なくとも１つの第２のインピーダンス回路と、
前記第４の電圧供給回線と前記第３および前記第４の接地電位のうちの前記少なくとも１つとの間に結合された少なくとも１つの第２のＥＳＤクランプであって、前記少なくとも１つの第４のＭＯＳトランジスタと平行に定置され、かつ、ＥＳＤ事象に応じて電流を伝導する第２のＥＳＤクランプとを含む第２の保護回路と、
前記第１の保護回路および前記第２の保護回路に結合されたＥＳＤ検出器とを含むＥＳＤ保護回路。
【請求項２０】
多数の電力領域を持つ集積回路を保護するための静電放電（ＥＳＤ）保護回路であって、
第１の電圧供給回線と第１の接地電位との間に結合された少なくとも１つの第１のＭＯＳトランジスタと、
第２の電圧供給回線と、前記第１および第２の接地電位のうちの少なくとも１つとの間に結合された少なくとも１つの第２のＭＯＳトランジスタと、
前記第１の電圧供給回線と前記少なくとも第１のＭＯＳトランジスタとの間に直列に結合された少なくとも１つの第１のＥＳＤクランプと、
前記第２の電圧供給回線と前記第１および前記第２の接地電位のうちの前記少なくとも１つとの間に結合された少なくとも１つの第２のＥＳＤクランプであって、前記少なくとも第２のＭＯＳトランジスタと平行に定置されている第２のＥＳＤクランプと、
前記少なくとも第１のＭＯＳトランジスタと前記少なくとも第２のＭＯＳトランジスタとの間に配置された少なくとも１つのインピーダンス回路であって、前記少なくとも第１のＥＳＤクランプは電流を伝導し、かつ、ＥＳＤ事象に応じて前記インピーダンス回路内に前記電流の少なくとも一部を供給するインピーダンス回路とを含むＥＳＤ保護回路。
【請求項２１】
前記第１のＥＳＤクランプはＭＯＳトランジスタを含む請求項２０に記載のＥＳＤ保護回路。
【請求項２２】
前記第１と前記第２の接地電位との間に定置された第２のインピーダンス回路をさらに含む請求項２０に記載のＥＳＤ保護回路。
【請求項２３】
多数の電力領域を持つ集積回路を保護するための静電放電（ＥＳＤ）保護回路であって、
第１の保護回路であって、
第１の電圧供給回線と第１の接地電位との間に結合された少なくとも１つの第１のＭＯＳトランジスタと、
第２の電圧供給回線と、前記第１および第２の接地電位のうちの少なくとも１つとの間に結合された少なくとも１つの第２のＭＯＳトランジスタと、
前記第１の電圧供給回線と前記少なくとも第１のＭＯＳトランジスタとの間に直列に結合された少なくとも１つの第１のＥＳＤクランプと、
前記第２の電圧供給回線と前記第１および前記第２の接地電位のうちの前記少なくとも１つとの間に結合された少なくとも１つの第２のＥＳＤクランプであって、前記少なくとも第２のＭＯＳトランジスタと平行に定置された第２のＥＳＤクランプと、
前記少なくとも第１のＭＯＳトランジスタと前記少なくとも第２のＭＯＳトランジスタとの間に配置された少なくとも１つの第１のインピーダンス回路であって、前記少なくとも第１のＥＳＤクランプは電流を伝導し、かつ、ＥＳＤ事象に応じて前記少なくとも１つの第１のインピーダンス回路内に前記電流の少なくとも一部を供給する第１のインピーダンス回路とを含む第１の保護回路と、
第２の保護回路であって、
前記少なくとも第１のＥＳＤクランプおよび前記第１の接地電位に直列に結合された少なくとも１つの第３のＭＯＳトランジスタと、
第３の電圧供給回線と第３の接地電位との間に結合された少なくとも１つの第４のＭＯＳトランジスタと、
前記第３の電位と前記第３の接地電位との間に結合された少なくとも１つの第４のＥＳＤクランプであって、前記少なくとも１つの第４のＭＯＳトランジスタと平行に定置された第４のＥＳＤクランプと、
前記少なくとも第３のＭＯＳトランジスタと前記少なくとも第４のＭＯＳトランジスタとの間に配置された少なくとも１つの第２のインピーダンス回路とを含む第２の保護回路とを含み、
前記第１の保護回路の前記少なくとも第１のＥＳＤクランプは電流を伝導し、かつ、ＥＳＤ事象に応じて前記第２の保護ユニットの前記少なくとも１つの第２のインピーダンス回路内に前記電流の少なくとも一部を供給するＥＳＤ保護回路。
【請求項２４】
前記第１のＥＳＤクランプはＭＯＳトランジスタを含む請求項２１に記載のＥＳＤ保護回路。